(57)【要約】【課題】  不使用時のプロセニアムが舞台のエリアを狭くせず、また、サイドタワーの格納を可能にして、多目的ホールへの具現化に向く。【解決手段】  舞台Ｓとこの舞台Ｓに対向する客席を配設する客席エリアＧとを有すると共に、舞台Ｓの間口Ａを形成するプロセニアム１と、舞台照明用の照明器具Ｌを有するサイドタワー２とを備える劇場構造であって、プロセニアム１が客席エリアＧに撤去可能に配備されると共に、サイドタワー２が客席エリアＧに配備されながら客席エリアＧを画成する壁部Ｗの内側に退避可能とされてなる。【選択図】  図１
2010024739.tif 000002
【特許請求の範囲】
【請求項１】
舞台とこの舞台に対向する客席を配設する客席エリアとを有すると共に、上記の舞台の間口を形成するプロセニアムと、舞台照明用の照明器具を有するサイドタワーとを備える劇場構造であって、上記のプロセニアムが上記の客席エリアに撤去可能に配備されると共に、上記のサイドタワーが上記の客席エリアに配備されながらこの客席エリアを画成する壁部の内側に退避可能とされてなることを特徴とする劇場構造。
【請求項２】
上記のプロセニアムが上記の舞台の両袖近くに撤去可能に立設されるタワー部と、このタワー部の上端に離着座可能に連繋するブリッジ部とを有し、格納時に上記のブリッジ部が上記の客席エリアの上方の天井近くに吊持されると共に、上記のタワー部が上記の客席エリアを画成する壁部の内側に収容されてなる請求項１に記載の劇場構造。
【請求項３】
上記のサイドタワーが客席上方の天井から吊持されながら上記の客席エリアを画成する壁部の内側に退避可能とされてなる請求項１に記載の劇場構造。
【請求項４】
上記のサイドタワーが上下方向に複数階とされると共に、各階が客席を有してギャラリー構造に形成されてなる請求項１に記載の劇場構造。
【請求項５】
サイドタワーが客席エリアに配備のプロセニアムにおけるタワー部に近隣して配備されてなる請求項１に記載の劇場構造。
【請求項６】
上記のプロセニアムにおけるブリッジ部および上記のサイドタワーが上記の客席エリアの上方に配備の吊持手段で吊持されてなる請求項１に記載の劇場構造。
【請求項７】
上記のプロセニアムにあって上記の舞台の両袖近くに撤去可能に立設される上記のタワー部が上記の舞台の間口幅を広狭する可動壁体を有してなる請求項１に記載の劇場構造。
【請求項８】
上記の舞台が昇降可能とされると共に、上記の客席が撤去可能とされてなる請求項１に記載の劇場構造。
【発明の詳細な説明】
【技術分野】
【０００１】
この発明は、劇場構造に関し、特に、プロセニアムとサイドタワーとを備えた劇場構造の改良に関する。
【背景技術】
【０００２】
近年の劇場は、劇場としての建物内に設けられるのではなく、多目的ホールとして設けられる建物内にあって、内部設備の設定を一時的に変更するなどで設けられることが多い。
【０００３】
たとえば、特許文献１に開示されているように、多目的ホールなどの舞台にあっては、門型の額縁の態様を呈する間口壁装置たるプロセニアムを有し、このプロセニアムで舞台の間口を形成して、最適な利用状態を実現させている。
【０００４】
一方、プロセニアムの利用で舞台の間口を狭くする際には、舞台の間口を狭めない状態下での利用に向く照明器具を活用できず、したがって、いわゆる照明不足が危惧される。
【０００５】
そこで、特許文献として明確な開示はないが、事実上、舞台の袖に近い客席部分にサイドタワーなる設備が配備されて、プロセニアムの利用に伴う舞台上での照明不足を補う方策がある。
【０００６】
それゆえ、プロセニアムと共にサイドタワーを利用する場合には、プロセニアムの利用に伴う照明不足を危惧しなくて済むのはもちろんのこと、プロセニアムの利用を伴わない場合にも、サイドタワーを本来のスポット照明として利用でき、多目的ホールにおける多目的の所以に沿い得る。
【特許文献１】特開平１０‐２４９０６９公報（明細書中の段落０００２，同０００３，図１，図２参照）
【発明の開示】
【発明が解決しようとする課題】
【０００７】
しかしながら、上記した劇場構造にあっては、プロセニアムとサイドタワーとを有することで、多目的ホールの利用可能性を向上させる利点があるが、多目的ホールの利用の実態を勘案すると些かの問題があると指摘される可能性がある。
【０００８】
すなわち、先ず、不使用時のプロセニアムの格納は、これまで、上記の文献に開示のように、舞台下の奈落に格納されたり、舞台上方の簀の子の下方に吊持されたり、さらには、舞台の奥壁に沿うように格納されたりする。
【０００９】
このことから、不使用時のプロセニアムは、広い意味で、舞台のエリア内に格納され、したがって、舞台の利用可能なエリアを小さくする不具合がある。
【００１０】
一方、サイドタワーは、プロセニアムの利用時はもちろんのこと、プロセニアムを利用しない場合にも的確なスポット照明を可能にし得るように固定的に設けられるから、近年の多目的ホールの利用態様からすると好ましくないことがある。
【００１１】
すなわち、近年の多目的ホールは、舞台を床レベルまで下げると共に、客席エリアにあって客席を撤去して内部を床だけにし、たとえば、スポーツを実施するための空間を形成し得るように構成されることがあり、この観点からすると、サイドタワーもこれが撤去される方が好ましいことになる。
【００１２】
この発明は、このような現状を鑑みて創案されたものであって、その目的とするところは、不使用時のプロセニアムが舞台のエリアを狭くせず、また、サイドタワーの格納を可能にして、多目的ホールへの具現化に向き、その汎用性の向上を期待するのに最適となる劇場構造を提供することである。
【課題を解決するための手段】
【００１３】
上記した目的を達成するために、この発明による劇場構造の構成を、基本的には、舞台とこの舞台に対向する客席を配設する客席エリアとを有すると共に、上記の舞台の間口を形成するプロセニアムと、舞台照明用の照明器具を有するサイドタワーとを備える劇場構造であって、上記のプロセニアムが上記の客席エリアに撤去可能に配備されると共に、上記のサイドタワーが上記の客席エリアに配備されながらこの客席エリアを画成する壁部の内側に退避可能とされてなるとする。
【発明の効果】
【００１４】
それゆえ、この発明にあっては、プロセニアムが客席エリアに撤去可能に配備されると共に、サイドタワーが客席エリアに配備されながら客席エリアを画成する壁部の内側に退避可能とされるから、不使用時のプロセニアムの格納で舞台を狭くせず、また、サイドタワーの客席エリアを画成する壁部の内側への退避で、客席エリアのフル利用を可能にする。
【発明を実施するための最良の形態】
【００１５】
以下に、図示した実施形態に基づいて、この発明を説明するが、この発明による劇場構造は、たとえば、多目的ホールに具現化され、図１および図２に示すように、舞台Ｓとこの舞台Ｓに対向する客席を配設する客席エリアＧとを有すると共に、舞台Ｓの間口Ａ（図１参照）を形成するプロセニアム１と、舞台照明用の照明器具Ｌ（図４参照）を有するサイドタワー２とを備えてなる。
【００１６】
舞台Ｓは、多くの場合に、回り舞台や迫りを有してなるが、近年の多目的ホールにあっては、この舞台Ｓがいわゆる分解可能とされていて、この舞台Ｓを撤去することで、その床面を客席エリアＧの床面と面一にできるように形成されている。
【００１７】
客席エリアＧは、階段状に形成された床（図２参照）に多数の整列された椅子を有し、この椅子は、近年の多目的ホールにあって、客席エリアＧの床の下方や客席エリアＧを画成する壁部Ｗ（図１参照）の内側に格納可能とされ、客席エリアＧの床面を全域に亙って平坦面にし得るように形成されている。
【００１８】
その他、上記の舞台Ｓにあっては、図示しないが、凡そこの種の舞台Ｓがそうであるように、上方にバトン装置Ｂ（図２参照）を有し、このバトン装置Ｂで舞台装置たる照明器具やオペラカーテン、あるいは、音響反射板や背景画などを吊持する。
【００１９】
また、客席エリアＧについても、図示するところでは、いわゆる一階部分のみ図示するが、多くの場合に二階席，三階席を有するのが常態であり、これら二階席，三階席は、たとえば、客席エリアＧの左右側に設けられる個室態様のギャラリーに繋がることがある。
【００２０】
さらに、図示しないが、舞台Ｓに近隣する客席エリアＧの最前部には、オーケストラの収容を可能にするオーケストラピット迫り、すなわち、オケ迫りが設けられることがあり、このオケ迫りについても、前記したように、客席エリアＧを床面にしてフル利用する場合には、床面に面一になるように昇降される。
【００２１】
以上のように形成された舞台Ｓと客席エリアＧとを有する多目的ホールにおいて、この発明による劇場構造にあっては、プロセニアム１が客席エリアＧに撤去可能に配備されると共に、サイドタワー２が客席エリアＧに配備されながら客席エリアＧを画成する壁部Ｗの内側に退避可能とされている。
【００２２】
すなわち、この発明による劇場構造にあっては、サイドタワー２はともかくとして、プロセニアム１が客席エリアＧに配備されるから、前記した文献開示のプロセニアムのように舞台に配備される場合に比較して、使用時であれ、不使用時であれ、舞台Ｓを狭くさせずして、舞台Ｓのフル利用を可能にする。
【００２３】
のみならず、この劇場構造を既存の劇場に具現化するのに際して、舞台Ｓ側の構成を大幅に変更させないから、この劇場構造の具現化を容易にし、それゆえ、この劇場構造の汎用性の向上を期待できる。
【００２４】
また、この発明による劇場構造にあって、客席エリアＧに配備されるプロセニアム１およびサイドタワー２は、客席エリアＧからの撤去を可能とするから、たとえば、不使用時に客席エリアＧを狭くすることがなく、客席エリアＧのフル利用を可能にする。
【００２５】
のみならず、サイドタワー２にあっては、これが客席エリアＧを画成する壁部Ｗの内側に退避されても、舞台照明用の照明器具Ｌの利用を可能にする。
【００２６】
以下に、プロセニアム１およびサイドタワー２について、少し説明すると、まず、プロセニアム１は、門型の額縁の態様を呈する（図３参照）間口壁装置であって、舞台Ｓが本来的に有する間口（幅）を所望の大きさの間口Ａに狭くする。
【００２７】
このとき、プロセニアム１によって形成される舞台Ｓの間口Ａについては、これが不変とされても良いが、舞台Ｓの両袖近くに立設されるタワー部１１が舞台Ｓの間口Ａを広狭する可動壁体（図示せず）を有してなり、この可動壁体を移動させることで、間口Ａをさらに狭くし得るようにしても良い。
【００２８】
以上からすると、プロセニアム１は、舞台Ｓの間口Ａを形成する限りには、任意に構成されて良いが、多くの場合に、客席エリアＧに居る観客の視界に入ることから、たとえば、外装が整えられ、また、舞台Ｓ上で行われる音楽演奏などの際の音響効果を妨げない構成とされるであろう。
【００２９】
また、このプロセニアム１は、その設置作業や撤去作業を鑑みると、作業性を良くする上で軽量化され、軽量化のためには、図示しないが、たとえば、フレーム構造からなる本体に音響効果を妨げない化粧材が展設などされて形成されるであろう。
【００３０】
そして、図示するところにあって、このプロセニアム１は、図１中で上下部分となる舞台Ｓの両袖近くに撤去可能に立設されるタワー部１１と、図２および図３に示すように、このタワー部１１の上端に離着座可能に連繋するブリッジ部１２とを有する分割型に形成されてなる。
【００３１】
このように、プロセニアム１が分割型に形成される場合には、一体型に形成される場合に比較して、格納に伴う装備の大型化を回避できると共に、格納時における占有容積を小さくし、また、格納場所を分散できる点で有利となる。
【００３２】
そしてまた、このプロセニアム１にあっては、不使用時に、図１および図３中に仮想線図で示すように、タワー部１１が客席エリアＧを画成する壁部Ｗの内側に収容され、ブリッジ部１２が客席エリアＧの上方の天井近くに吊持されて格納される。
【００３３】
このとき、プロセニアム１にあって、ブリッジ部１２は、客席エリアＧの上方に配備の吊持手段Ｈ（図３参照）で吊持されてなるとし、この吊持手段Ｈは、所定の吊持機能を発揮する限りには、任意に構成されて良い。
【００３４】
そして、この吊持手段Ｈは、図示するところでは、客席エリアＧの上方に配備されるトラスバトンを有するバトン装置からなるが、前記した舞台Ｓの上方に配備されるバトン装置の延長とされるトラスバトン装置類似のものが別途配備されるとしても良い。
【００３５】
一方、上記に対して、プロセニアム１にあって舞台Ｓの両袖近くに立設されるタワー部１１は、客席エリアＧを画成する壁部Ｗの内側に収容されて格納状態におかれる。
【００３６】
これは、この発明の劇場構造にあって、プロセニアム１が客席エリアＧに配備されるから、タワー部１１とブリッジ部１２とが一体に形成された状態で、たとえば、客席エリアＧの上方に吊持されるとなると、吊持手段を大掛かりにすると共に、格納時の占有容積を大きくする不具合が招来されることに他ならない。
【００３７】
そして、このタワー部１１の利用時には、格納場所たる壁部Ｗの内側から客席エリアＧにおける所定の設置位置に移動され、このとき、タワー部１１の移動には、種々の移動手段が併用されて良い。
【００３８】
たとえば、壁部Ｗの内側から客席エリアＧにおける所定の設置位置に延びるように配設されたレール上を移動させ、あるいは、エアコンベアによる浮力利用で移動させるなど、任意の移動手段が選択されて良い。
【００３９】
ちなみに、後述するサイドタワー２にあっても同様であるが、このタワー部１１の移動にも、上記したブリッジ部１２と同様に、吊持手段たるたとえばバトン装置が利用されるとしても良い。
【００４０】
サイドタワー２は、前記したように、沿革的には、スポット照明たる舞台照明用の照明器具Ｌを架装させるもので、その点ではこの発明の劇場構造を構成する要素として不足するものではない。
【００４１】
そして、このサイドタワー２は、図示するところでは、上記した客席エリアＧに配備のプロセニアム１におけるタワー部１１に近隣して配備されながら、図１および図３中の仮想線図で示すように、客席エリアＧを画成する壁部Ｗの内側に退避可能とされている。
【００４２】
また、このサイドタワー２は、この発明の劇場構造にあって、図４に示すように、客席を有してギャラリーを形成するとしており、ギャラリー構造に形成されながら外部の桟部２１に上記の照明器具Ｌを架装させている。
【００４３】
さらに、このサイドタワー２は、図示するところでは、上記のギャラリーを複数階となる三層に有しており、したがって、その移動が容易でないから、客席エリアＧの上方の天井から適宜の吊持手段で吊持されてなる。
【００４４】
このとき、吊持手段については、前記したプロセニアム１におけるブリッジ部１２の吊持手段Ｈと同様の構成のものが選択されて良く、特に、移動時に転倒することを阻止するためにも、前記したトラスバトンを有する吊持手段Ｈで上方から吊持されるのが好ましい。
【００４５】
以上のように、この発明の劇場構造にあっては、プロセニアム１が客席エリアＧに撤去可能に配備されると共に、サイドタワー２が客席エリアＧに配備されながら客席エリアＧを画成する壁部Ｗの内側に退避可能とされるから、不使用時のプロセニアム１の格納で舞台Ｓを狭くせず、また、サイドタワー２の客席エリアＧを画成する壁部Ｗの内側への退避で、客席エリアＧのフル利用を可能にして、多目的ホールにおける多目的の所以に沿い得る。
【００４６】
前記したところでは、この発明の劇場構造が多目的ホールに具現化される場合を例にして説明したが、この発明が意図するところからすれば、劇場としての建物内に、すなわち、舞台Ｓを床レベルにまで下降できず、また、客席エリアＧの椅子を撤去できない言わば従来の劇場に具現化されるとしても良く、その場合の作用効果において格別の差異はない。
【図面の簡単な説明】
【００４７】
【図１】この発明による劇場構造を具現化した多目的ホールの部分平面図である。
【図２】図１中のＸ−Ｘ線位置から看たプロセニアムとサイドタワーを示す部分正面縦断面図である。
【図３】図１中のＹ−Ｙ線位置から看たプロセニアムとサイドタワーを示す部分側面縦断面図である。
【図４】プロセニアムを概略示しながらサイドタワーを詳細に示す平面図である。
【符号の説明】
【００４８】
１  プロセニアム
２  サイドタワー
１１  タワー部
１２  ブリッジ部
２１  桟
２２  ギャラリー
Ａ  間口
Ｇ  客席エリア
Ｌ  照明器具
Ｓ  舞台
Ｗ  壁部
【図１】
2010024739.tif 000003
【図２】
2010024739.tif 000004
【図３】
2010024739.tif 000005
【図４】
2010024739.tif 000006